(57)【要約】【課題】複数種のコインを種類ごとに選別することが可能なコイン選別装置を提供する。【解決手段】自店舗で使用している自店舗コイン及び他の店舗で使用している他店舗コインは  ホッパ１３内に収容された多数のコインは第一の駆動部１によって１枚単位で搬送路１４ａへ送り出される。その搬送の過程でカメラ部１５によってコインの表面又は裏面が撮影される。画像処理部２４には自店舗コインの画像データ及び他店舗コインの全画像データが予め格納されており、予め格納されている画像とカメラ部１５によって撮影した撮影画像とを照合することによって搬送コインの種類を判定する。コインの種類が特定されると傾斜部材２１で搬送途中のコインを他店舗のものであれば対応するスライダ１９ａ，１９ｂ，１９ｃの１つへ案内し自店舗のコインであればそのまま落下させることにより仕分先が選定される。【選択図】図１
2014002630.tif 000002
【特許請求の範囲】
【請求項１】
自店舗で使用している自店舗コインと他店舗で使用している他店舗コインとを選別するコイン選別装置において、
ホッパ内に投入された多数のコインを１枚単位で搬送路に送り出して搬送させる駆動部と、
前記搬送路を移動中の前記コインの表面又は裏面を撮影するカメラ部と、
予め登録してある前記自店舗コイン及び前記他店舗コインの画像と前記カメラ部で撮影した画像との一致の有無に応じて店舗ごとのコインの種類を判定する画像処理部と、
前記画像処理部の判定結果に基づいて予め定められた複数の仕分け先の中から１つを選択して分別する仕分け機構と、
を備えていることを特徴とするコイン選別装置。
【請求項２】
請求項１に記載のコイン選別装置において、
前記仕分け機構は、
前記カメラ部で撮影した後の前記コインを滑落させることによって搬送する傾斜面を備えた傾斜部材と、
前記傾斜部材上を滑落した自店舗コインを収容する自店舗コイン収納部と、
上端側が前記傾斜部材の傾斜面の途中に位置するようにして配置され、前記画像処理部の判定結果に基づいて前記傾斜部材上を滑落中の他店舗コインをその種類ごとに予め用意された他店舗コイン収納部へ案内するスライダと、
前記画像処理部によって他店舗コインと判定された前記傾斜部材上を滑落中の他店舗コインをセンサによって検知し、当該他店舗コインをソレノイドによって対応するスライダへ導く仕分け選択部と、
を備えていることを特徴とするコイン選別装置。
【請求項３】
請求項２に記載のコイン選別装置において、
前記スライダ及び他店舗コイン収納部を複数備えていることを特徴とするコイン選別装置。
【請求項４】
請求項１から３のいずれか１項に記載のコイン選別装置において、
コインの枚数をカウントするカウンター機能を有し、
コイン投入者の顔を撮影すると共に、前記画像処理部によって前記コイン投入者が投入したコインの中に他店舗のコインが含まれていた場合には当該コイン投入者の顔を撮影した画像データに所定のフラグを立てる投入者撮影用カメラと、
前記投入者撮影用カメラで撮影した投入者の顔の画像データを蓄積する投入者画像データベースと、
前記投入者撮影用カメラで撮影したコイン投入者の顔の画像と前記投入者画像データベースに蓄積された画像データとの照合を行う照合部と、
をさらに備え、
他店舗のコインを含んだコインを投入した利用者の特定及び当該利用者のこれまでの履歴を確認することを可能としたことを特徴とするコイン選別装置。
【発明の詳細な説明】
【技術分野】
【０００１】
本発明は、コイン選別装置に関し、さらに詳しくはパチンコ店やゲームセンター等で使用されるその店専用のコインと他店のコインとを選別するためのコイン選別装置に関する。
【背景技術】
【０００２】
パチスロ、スロットマシン等の遊戯台で使用される擬似コイン又はメダル（以下、単に「コイン」という。）は、各店舗毎に専用のコインを使用している。その理由は、不正なコインや単価当たりの貸し出し枚数の多い他店のコインが使用されると換金率の差によって損害が発生する等のためである。また、異種のコインが混在すると、コインを搬送運搬等する機械類の正常な動作、さらには遊戯台自体の正常な動作を阻害するおそれがある。そのため、不正なコインや他店のコインは排除する必要がある。
【０００３】
このような目的に供される装置が、例えば特許文献１〜３に開示されている。特許文献１の選別装置では、特定のコインのみを光学的に識別する識別手段をコイン通路に設け、これによってコインが正常か否かを判定する構成である。また、特許文献２のメダル選別装置では、メダルの特徴部を判別センサで判別し、指定外メダルであったときには該指定外メダルを落下用ソレノイドによってメダル搬送路から落下させる構成になっている。更に、特許文献３のメダル選別装置では、転動レールを転動するメダルの厚み及び材質を検出するセンサと該センサが所定の厚み及び材質が企画外のときに該メダルを転動レールから外すキャンセル装置とを設けた構成になっている。
【先行技術文献】
【特許文献】
【０００４】
【特許文献１】特開平１０−２４８９９８号公報
【特許文献２】特開２００１−６７５１９号公報
【特許文献３】特開２００７−１４４１２６号公報
【発明の概要】
【発明が解決しようとする課題】
【０００５】
しかしながら、上述した従来の選別装置は、二者択一（即ち、自店舗コインと他店コイン）の選別は可能であるものの、３種以上のコインが混在している場合、即ち、種類ごと、店舗ごと等の選別が行えないという問題がある。また、自店舗コインに対し、他の店舗コインが混在する割合が分かれば不正に対する対応が検討し易くなる。さらに、コインの他店舗のコインを使用した利用者を特定することができれば店側としても予め対応を講じることができる。
【０００６】
そこで、本発明は、かかる問題点に鑑みなされたもので、複数種のコインを種類ごとに選別することが可能なコイン選別装置を提供することを目的とする。
また、本発明は、他店舗のコインを使用した利用者の特定及びその履歴を確認可能なコイン選別装置を提供することを目的とする。
【課題を解決するための手段】
【０００７】
上記課題を解決するために請求項１に記載の本発明は、自店舗で使用している自店舗コインと他店舗で使用している他店舗コインとを選別するコイン選別装置において、ホッパ内に投入された多数のコインを１枚単位で搬送路に送り出して搬送させる駆動部と、前記搬送路を移動中の前記コインの表面又は裏面を撮影するカメラ部と、予め登録してある前記自店舗コイン及び前記他店舗コインの画像と前記カメラ部で撮影した画像との一致の有無に応じて店舗ごとのコインの種類を判定する画像処理部と、前記画像処理部の判定結果に基づいて予め定められた複数の仕分け先の中から１つを選択して分別する仕分け機構と、
を備えていることを特徴とする。
【０００８】
上記課題を解決するために請求項２に記載の本発明は、請求項１に記載のコイン選別装置において、前記仕分け機構は、前記カメラ部で撮影した後の前記コインを滑落させることによって搬送する傾斜面を備えた傾斜部材と、前記傾斜部材上を滑落した自店舗コインを収容する自店舗コイン収納部と、上端側が前記傾斜部材の傾斜面の途中に位置するようにして配置され、前記画像処理部の判定結果に基づいて前記傾斜部材上を滑落中の他店舗コインをその種類ごとに予め用意された他店舗コイン収納部へ案内するスライダと、前記画像処理部によって他店舗コインと判定された前記傾斜部材上を滑落中の他店舗コインをセンサによって検知し、当該他店舗コインをソレノイドによって対応するスライダへ導く仕分け選択部とを備えていることを特徴とする。
【０００９】
上記課題を解決するために請求項３に記載の本発明は、請求項２に記載のコイン選別装置において、前記スライダ及び他店舗コイン収納部を複数備えていることを特徴とする。
【００１０】
上記課題を解決するために請求項４に記載の本発明は、請求項１から３のいずれか１項に記載のコイン選別装置において、コインの枚数をカウントするカウンター機能を有し、コイン投入者の顔を撮影すると共に、前記画像処理部によって前記コイン投入者が投入したコインの中に他店舗のコインが含まれていた場合には当該コイン投入者の顔を撮影した画像データに所定のフラグを立てる投入者撮影用カメラと、前記投入者撮影用カメラで撮影した投入者の顔の画像データを蓄積する投入者画像データベースと、前記投入者撮影用カメラで撮影したコイン投入者の顔の画像と前記投入者画像データベースに蓄積された画像データとの照合を行う照合部とをさらに備え、他店舗のコインを含んだコインを投入した利用者の特定及び当該利用者のこれまでの履歴を確認することを可能としたことを特徴とするコイン選別装置。
【発明の効果】
【００１１】
本発明に係るコイン選別装置によれば、自店舗コイン及び複数の他店舗コインを含む複数種のコインのそれぞれを種類ごとに選別することが可能になるという効果がある。
また、自店舗コインに対し、他の店舗コインが混在する割合が分かるので不正に対する対応が検討し易くなるという効果がある。
さらには、他店舗のコインを使用した利用者の特定及びその履歴を確認することができるという効果がある。
【図面の簡単な説明】
【００１２】
【図１】本発明に係るコイン選別装置の一実施形態を示す斜視図である。
【図２】図１に示す電気系統の詳細構成を示すブロック図である。
【図３】本発明に係るコイン選別装置の動作を示すフローチャートである。
【図４】コイン選別時の一状態を示す主要部の斜視図である。
【図５】画像の蓄積の動作を示すフローチャートである。
【図６】コイン投入者の特定及び履歴表示の動作を示すフローチャートである。
【発明を実施するための形態】
【００１３】
[コイン選別装置の構成]
本発明に係るコイン選別装置の好ましい一実施形態について図面を参照しつつ説明する。図１は本発明に係るコイン選別装置の第一の実施形態を示す斜視図である。図示されたコイン選別装置１は、概略として、箱型の本体１０に収容されて全体の動作を制御する制御部１１と、本体１０の前面に配置されて制御部１１を含む後述する各部に電力を供給する電源のオン／オフを行うための電源スイッチ１２と、本体１０上に設置されて上部の開口１３ａからコイン（或いはメダル）が投入されるホッパ１３と、ホッパ１３の出口近傍に配置され、ホッパ１３内に投入された多数のコインを１枚単位で搬送路１４ａへ送出する第一の駆動部１４と、第一の駆動部１４によって移送される途中でコインの表面又は裏面を１枚ごとに撮影するカメラ部１５と、カメラ部１５の出力画像と予め登録されている自店舗コイン４０の画像及び他店舗コイン４０ａ，４０ｂ，４０ｃの画像とを照合してコインの種類を判定し、その結果を制御部１１へ送出する画像処理部２４と、画像処理部２４の判定結果に基づいて予め定められた複数の仕分け先の中から１つを選択して分別する仕分け機構３０と、画像を表示するモニタ６０とを備えている。
【００１４】
制御部１１は、図２に示すように、第一の駆動部１４、カメラ部１５、センサ１７、第二の駆動部１８及び仕分け選択部２０等の各部を制御するＣＰＵ１１０と、コイン選別装置１を動作させるためのプログラムを格納したメモリ２５と、画像データの照合に用いられる後述する照合部５１とを備えて構成されている。
【００１５】
ホッパ１３は、上部の開口１３ａから投入されたコインを下部の開口（図示せず）から１枚単位で排出できる構造を有している。
第一の駆動部１４はコインを押し出す図示しないピンを備えており、コインはこのピンによって搬送路１４ａ上に押し出されて移動する。
カメラ部１５は、図２に示すように、被写体である搬送路１４ａ上のコインに照明光を照射するＬＥＤ等による光源１５１と、光源１５１による照明部分に到達したコインを撮影するデジタルカメラ１５２とを備えて構成されている。デジタルカメラ１５２による撮影画像のデータは画像処理部２４へ送られる。
【００１６】
仕分け機構３０は、カメラ部１５で撮影した後のコインを滑落させることによって搬送する傾斜面を備えた傾斜部材２１と、傾斜部材２１上を最下端まで滑落した自店舗コイン４０を収容する自店舗コイン収納部２２と、上端側が傾斜部材２１の傾斜面の途中に位置するようにして配置され、画像処理部２４の判定結果に基づいて傾斜部材２１上を滑落中の他店舗コイン４０ａ，４０ｂ，４０ｃをその種類ごとに用意された他店舗コイン収納部２３ａ，２３ｂ，２３ｃへ案内するスライダ１９ａ，１９ｂ，１９ｃと、画像処理部２４によって他店舗コイン４０ａ〜４０ｃと判定された傾斜部材２１上を滑落中の他店舗コイン４０ａ〜４０ｃをセンサ１７によって検知し、他店舗コイン４０ａ〜４０ｃをソレノイド２７ａ，２７ｂ，２７ｃによって対応するスライダ１９ａ〜１９ｃへ導く仕分け選択部２０とを備えている。
【００１７】
搬送路１４ａと傾斜部材２１とはほぼ直角に接続されており、図１に示すように、傾斜部材２１の終端側が下向きとなるように所定の傾斜角度（例えば４５°）を有して傾斜している。また、傾斜部材２１の搬送路１４ａとの接続部分（上端側）の近傍には第二の駆動部１８によって送出されたコインを傾斜部材２１へ案内するための円弧状のガイド１６が設けられている。
【００１８】
画像処理部２４は、図示しないメモリを備えており、このメモリに選別対象となるべきコインについてその種類ごとの画像データが格納されている。本実施形態では画像データとして、自店舗コイン４０、他店舗１のコイン４０ａ、他店舗２のコイン４０ｂ、他店舗３のコイン４０ｃのそれぞれの表裏の画像がメモリ２５に記録されている。さらに、メモリ２５には後述する投入者画像データベース（ＤＢ）５５が格納されている。尚、選別に用いる画像データはコインの表面又は裏面全体の画像データだけでなく、特徴的な部分の画像データや予めコインに設けたマーク等の識別標識からなる画像データを用いることもできる。そして、デジタルカメラ１５２から送られてきたコインの画像データと図示しないメモリに格納された画像データとを照合してコインの判定を行う。そして、その判定結果は制御部１１へ送られる。
【００１９】
カメラ部１５で表面又は裏面の撮影が行われた後のコインは第二の駆動部１８によって傾斜部材２１側へ送り出され、円弧状のガイド１６を経由して傾斜部材２１へ移送される。そして、傾斜部材２１上を滑落する際に仕分け選択部２０によってコインの仕分けが行われる。尚、本実施形態は、自店舗コイン収納部２２の他３つの他店舗コイン収納部２３ａ〜２３ｃを有しているが、これに限らず適宜の数を設けることができる。また、他店舗には、自店との系列店であっても使用しているコイン（又はメダル）の仕様（デザイン、大きさ等）が異なるものを使用している場合にはその店舗も含まれる。尚、どの他店舗コイン収納部２３ａ〜２３ｃにどのようなコインを選別して送り込むかは制御部１１での設定如何によるので、例えば、複数の系列店のコインであって互いに異なるコインであってもそれらは同じ系列店であるとして同一の他店舗コイン収納部２３ａへ集めるように設定することももちろん可能である。
【００２０】
仕分け選択部２０は、制御部１１によって判定されたコインの種類に基づいてコインの仕分けを行う。仕分け選択部２０は、搬入されたコインが画像処理部２４によって自店舗コイン４０と判定された場合にはその結果が制御部１１に送られ、制御部１１はスライダ１９ａ〜１９ｃを初期位置のまま、即ちソレノイド２７ａ，２７ｂ，２７ｃを駆動することなく自店舗コイン４０をそのまま真下に滑落させて自店舗コイン収納部２２に収容する。一方、画像処理部２４によって他店舗コイン４０ａ，４０ｂ，４０ｃであることが判定された場合にはその結果が制御部１１に送られると共に該当のコインをセンサ１７によって検知した検知情報が制御部１１に送られる。そして、制御部１１は判定結果と検知情報に基づいて他店舗コインの種類４０ａ，４０ｂ，４０ｃに応じて傾斜部材２１に配置されたソレノイド２７ａ，２７ｂ，２７ｃのうちの所定の１つを動作させてコインを矢印Ａ〜Ｃ方向へ移動させる。ここで、スライダ１９ａ〜１９ｃは、例えば、Ｌ字形状、Ｕ字断面形状、樋形状等のものを用いることで傾斜部材２１上を滑落してくるコインが確実にそれぞれの他店舗コイン収納部２３ａ〜２３ｃへ収容されるようにすることができる。本実施形態ではＬ字形状を採用し、側壁のある側（図１の正面から見て右側）をやや低くしてコインが滑落する途中でスライダ１９ａ〜１９ｃから落下しないようにしている。そして、スライダ１９ａ〜１９ｃは上部を幅広にするほど安定してコインを滑落させることができる。尚、スライダ１９ａ〜１９ｃ及び他店舗コイン収納部２３ａ〜２３ｃは各３つとしたが、処理対象の他店舗数に応じて増減することができるのは上述のとおりである。
【００２１】
一方、このコイン選別装置１は、ホッパ１３に投入された多数のコインを第一の駆動部１４によって１枚単位で搬送路１４ａへ送出する際に投入されたコインの枚数をカウントするカウンター機能を有しており、遊戯者がコインの枚数を数えるためのカウンターとして使用されるようになっている。尚、コインの枚数をカウントするカウンターについては適宜公知のものを使用することができるので詳しい説明は省略する。ホッパ１３の上部にはコイン投入者の顔を撮影する投入者撮影用カメラ５０が取り付けられている。尚、投入者撮影用カメラ５０は、コイン投入者の顔を的確に撮影できる位置であればホッパ１３の上部に限らずコイン選別装置１の所定の場所或いは店舗の壁や天井等のいずれの場所に設置してもかまわない。投入者撮影用カメラ５０は、例えば、コイン投入者がコインをホッパ１３に投入したことをセンサ２８で検知してシャッターを切るように設定することや、従業員が手動でシャッターを切って撮影するようにすることができる。そして、投入者撮影用カメラ５０によって撮影した投入者の顔の画像データは投入者画像データベース５５に送られて蓄積される。尚、画像データには撮影した日時、コインの数などのデータも付加されて投入者画像データベース５５に蓄積される。
【００２２】
ここで、上述したように、画像処理部２４は自店舗のコインか他店舗のコインかの判定結果を制御部１１へ送るが、コイン投入者が投入したコインに他店舗のコインが含まれていた場合には画像処理部２４は他店舗のコインを含むコインを投入したコイン投入者の顔の画像データに所定のフラグを立てて投入者画像データベース５５に送る。これにより、他店舗のコインを含むコインを投入した実績のある利用者を特定することができる。
【００２３】
また、制御部１１には、投入者撮影用カメラ５０で撮影したコイン投入者の顔の画像と投入者画像データベース５５に蓄積された画像データとの照合を行う照合部５１を備えている。照合部５１は投入者撮影用カメラ５０によって撮影したコイン投入者の顔の画像データから目、眉、鼻、口等の各パーツの形状やそれらの相対的な位置関係等を特定し、これと同じか近似するデータを有する画像データが投入者画像データベース５５に存在するか否かを検索或いは照合する。該当する画像データが投入者画像データベース５５に存在しない場合は撮影した画像データはそのまま投入者画像データベース５５に蓄積される。該当する画像データが投入者画像データベース５５に存在した場合にはその画像データを特定すると共に、その画像が撮影された日時やコインの枚数等の付加データを図１及び図２に示すモニタ６０上に表示する。これにより、他店舗のコインを含んだコインを投入した利用者を特定すると共に、この利用者のこれまでの履歴を確認することが可能となる。
【００２４】
［コイン選別装置の動作］
次に、図１〜図４を参照してコイン選別装置の動作について説明する。図３はコイン選別装置１の駆動状態を示すフローチャート、図４はコイン選別時の一状態を示す主要部の斜視図である。まず、作業者は図１に示す電源スイッチ１２をオンにする（ステップＳ１０１）。次いで、図１に示すように処理対象の多数のコインをホッパ１３内に投入する。ホッパ１３内に貯えられた多数のコインが１枚ずつ第一の駆動部１４へ排出されると、そのコインは第一の駆動部１４によって搬送路１４ａへ送り出される（ステップＳ１０２）。搬送路１４ａへ送り出されたコインがカメラ部１５に到達すると、カメラ部１５のデジタルカメラ１５２によって当該コインの表面又は裏面の撮影が行われる（ステップＳ１０３）。この撮影によって得られた画像データは、画像処理部２４の図示しないメモリに格納されている自店舗コイン４０及び他店舗１〜３のコイン４０ａ〜４０ｃの表面及び裏面の各画像と照合される（ステップＳ１０４）。例えば、撮影画像と自店舗のコイン画像とが一致した場合、即ち、自店舗コイン４０であると判定された場合（ステップＳ１０４：自店舗コイン）には、そのコイン４０は傾斜部材２１の傾斜面を図１及び図４に示す矢印Ｄ方向に滑落して自店舗コイン収納部２２へ収容される（ステップＳ１０５）。このとき、ソレノイド２７ａ，２７ｂ，２７ｃは動作しない。
【００２５】
一方、上記ステップＳ１０４において他店舗コインであると判定された場合（ステップＳ１０４：他店舗コイン）には、そのコインが他店舗１〜３のコイン４０ａ〜４０ｃのいずれであるかを判定する（ステップＳ１０６）。ここで、コインが他店舗１のコイン４０ａであると判定された場合（ステップＳ１０６：他店舗１コイン）には、制御部１１は、仕分け選択部２０のソレノイド２７ａを動作させて他店舗１のコイン４０ａをスライダ１９ａ方向へ弾く。これにより、傾斜部材２１の傾斜面を滑落中の他店舗１のコイン４０ａは図４に示す矢印Ｅの軌跡をたどり、さらにスライダ１９ａによって図１に示す矢印Ａの方向へ案内されて他店舗コイン収納部２３ａへ収容される。
【００２６】
また、コインが他店舗２のコイン４０ｂであると判定された場合（ステップＳ１０６：他店舗２コイン）には、制御部１１は、コイン４０ａの場合と同様に、仕分け選択部２０のソレノイド２７ｂを動作させて他店舗２のコイン４０ｂをスライダ１９ｂ方向へ弾く。これにより、傾斜部材２１の傾斜面を滑落中の他店舗２コイン４０ｂは図矢印Ｆの軌跡をたどってスライダ１９ｂに進入し、スライダ１９ｂ上を図１に示す矢印Ｂ方向へ案内されて他店舗コイン収納部２３ｂへ収容される。
【００２７】
さらに、コインが他店舗３のコイン４０ｃであると判定された場合（ステップＳ１０６：他店舗３コイン）には、制御部１１は、コイン４０ａ，４０ｂの場合と同様に、仕分け選択部２０のソレノイド２７ｃを動作させて他店舗３のコイン４０ｃをスライダ１９ｃ方向へ弾く。これにより、傾斜部材２１の傾斜面を滑落中の他店舗３のコイン４０ｃは図４に示す矢印Ｇの軌跡をたどってスライダ１９ｃに進入し、スライダ１９ｃ上を図１に示す矢印Ｃ方向へ案内されて他店舗コイン収納部２３ｃへ収容される。
【００２８】
［コイン投入者の画像の蓄積］
一方、コイン投入者がコインをホッパ１３に投入したことをセンサ２８が検知すると投入者撮影用カメラ５０は自動的にシャッターを切ってコイン投入者の顔を撮影する（ステップＳ２０１）。そして、コイン投入者が投入したコインに他店舗のコインが含まれていた場合（ステップＳ２０２：Ｙｅｓ）には撮影した画像データに所定のフラグを立てて（ステップＳ２０２）投入者画像データベース５５に送り画像データを蓄積する（ステップＳ２０３）。一方、コイン投入者が投入したコインに他店舗のコインが含まれていない場合（ステップＳ２０２：Ｎｏ）には撮影した画像データはそのまま画像データベース５５に送り画像データを蓄積する（Ｓ２０４）。尚、画像データには撮影した日時やコインの枚数等のデータも付加されて画像データを蓄積される。
【００２９】
［コイン投入者の特定等］
また、投入者撮影用カメラ５０で撮影したコイン投入者の顔の画像は照合部５１によって投入者画像データベース５５に蓄積された画像データとの照合が行われる（ステップＳ３０１）。照合は、コイン投入者の顔の画像データから目、眉、鼻、口等の各パーツの形状やそれらの相対的な位置関係等を特定し、これと同じか近似するデータを有する画像データが投入者画像データベース５５に存在するか否かを検索或いは照合する（ステップＳ３０２）。該当する画像データが投入者画像データベース５５に存在しない場合（ステップＳ３０２：Ｎｏ）は撮影した画像データはそのまま投入者画像データベース５５に蓄積される（ステップＳ３０３）。一方、該当する画像データが投入者画像データベース５５に存在した場合（ステップＳ３０２：Ｙｅｓ）にはその画像データを特定すると共に、その画像が撮影された日時やコインの枚数等の付加データをモニタ６０上に表示する（ステップＳ３０４）。これにより、他店舗のコインを含んだコインを投入した利用者を特定すると共に、この利用者のこれまでの履歴を確認することが可能となる。
【００３０】
［実施形態の効果］
上述した本実施形態に係るコイン選別装置１によれば、自店舗コイン４０及び他店舗コイン４０ａ〜４０ｃをその種類ごとに分別し、且つ、同一種類のコイン同士を収容部２２，２３ａ〜２３ｃにまとめて収容することができるという効果がある。
また、自店舗コイン４０に対して他店舗コイン４０ａ〜４０ｃが混在する割合を簡単に把握できるため、不正に対する対応が検討し易くなるという効果がある。
さらには、系列店の場合には選別されたコインを系列店への返却が可能になるという効果がある。
また、他店舗のコインを含んだコインを投入した利用者を特定すると共に、この利用者のこれまでの履歴を確認することが可能となるという効果がある。
【００３１】
以上のように、本発明の好ましい実施形態について詳述したが、本発明は係る特定の実施形態に限定されるものではなく、特許請求の範囲に記載された本発明の要旨の範囲内において、種々の変形・変更が可能であることはいうまでもない。
【符号の説明】
【００３２】
１      コイン選別装置
１０      本体
１１      制御部
１２      電源スイッチ
１３      ホッパ
１３ａ      開口
１４      第一の駆動部
１４ａ      搬送路
１５      カメラ部
１６      ガイド
１７      センサ
１８      第二の駆動部
１９ａ，１９ｂ，１９ｃ      スライダ
２０      仕分け選択部
２１      傾斜部材
２２      自店舗コイン収納部
２３ａ，２３ｂ，２３ｃ      他店舗コイン収納部
２４      画像処理部
２５      メモリ
２７ａ，２７ｂ，２７ｃ      ソレノイド
２８      センサ
３０      仕分け機構
４０      コイン
４０ａ      他店舗１コイン
４０ｂ      他店舗２コイン
４０ｃ      他店舗３コイン
５０      投入者撮影用カメラ
５１      照合部
５５      投入者画像データベース
６０      モニタ
１１０      ＣＰＵ
１５１      光源
１５２      デジタルカメラ
【図１】
2014002630.tif 000003
【図２】
2014002630.tif 000004
【図３】
2014002630.tif 000005
【図４】
2014002630.tif 000006
【図５】
2014002630.tif 000007
【図６】
2014002630.tif 000008